(57)【要約】【課題】板紙で構成しながら支柱の強度を向上させ、支柱のみで箱体を支えることができ、４方向から物品の出し入れをする。【解決手段】平面視長方形の底部及び前記底部の縁から立設された側壁を備える複数の箱体と、前記箱体の四隅に嵌装される支柱とを備える組み立てトレイにおいて、前記箱体と前記支柱とが板紙を折曲げて構成され、前記支柱は、板紙の面を前記支柱の軸に沿って積層若しくは渦巻き状に構成され、又は板紙の端部から前記支柱の軸に沿って複数回折曲げて断面三角形の渦巻き状とした２つの三角柱を組み合わせて四角柱に構成され、前記支柱の下端部に、前記箱体の四隅の前記側壁が嵌装される断面Ｌ字形の溝部と、前記支柱の上端部に、前記箱体の底部の角に対応する断面Ｌ字形の壁部と、を備える。【選択図】図１
2018111517.tif 000002
【特許請求の範囲】
【請求項１】
平面視長方形の底部及び前記底部の縁から立設された側壁を備える複数の箱体と、前記箱体の四隅に嵌装される支柱とを備える組み立てトレイにおいて、
前記箱体と前記支柱とが板紙から構成され、
前記支柱は、板紙の面を前記支柱の軸に沿って積層して構成されていることを特徴とする組み立てトレイ。
【請求項２】
前記支柱が、断面渦巻き状に積層された板紙で構成されていることを特徴とする請求項１に記載の組み立てトレイ。
【請求項３】
前記支柱が、板紙の端部から前記支柱の軸に沿って複数回折曲げて断面三角形の渦巻き状に積層された２つの三角柱を組み合わせて四角柱にした板紙で構成されていることを特徴とする請求項１に記載の組み立てトレイ。
【請求項４】
前記支柱の下端部に、前記箱体の四隅の前記側壁が嵌装される断面Ｌ字形の溝部と、
前記支柱の上端部に、前記箱体の底部の角に対応する断面Ｌ字形の壁部と、
を備えることを特徴とする請求項１ないし３のいずれか１項に記載の組み立てトレイ。
【請求項５】
前記支柱の下端部のうち前記溝部より外側の面に、下端に向かって前記外側の面の間の辺を残すよう漸次縮小された凸部を備え、
前記支柱の上端部の壁部に、前記凸部に対応する凹部を備えることを特徴とする請求項４に記載の組み立てトレイ。
【請求項６】
前記側壁が前記箱体の内側に傾斜されていることを特徴とする請求項１ないし５のいずれか１項に記載の組み立てトレイ。
【請求項７】
前記箱体の底面に、前記側壁の四辺の内側寸法に対応しつつ、前記底面の長辺側での離間距離が前記側壁の短辺方向の外側寸法に対応した４つの突出した角用台座を備え、
前記支柱を用いずに複数の前記箱体をその向きを揃えて重ね合わせるときは、前記角用台座を下段の前記箱体の四辺の側壁の内側に係合させ、
前記支柱を用いずに複数の前記箱体をその向きを９０度ずらせて重ね合わせるときは、前記角用台座を下段の前記箱体の長辺側の側壁の外側に係合させることを特徴とする請求項１ないし６のいずれか１項に記載の組み立てトレイ。
【請求項８】
前記底面の長辺側の中央に、前記角用台座との距離が前記側壁の短辺方向の内側寸法に対応して突出した中用台座を備え、
前記支柱を用いずに複数の前記箱体をその向きを９０度ずらせて重ね合わせるときは、前記角用台座の一部と前記中用台座とを下段の前記箱体の長辺側の側壁の内側に係合させることを特徴とする請求項７に記載の組み立てトレイ。
【請求項９】
複数の前記箱体が、大きさの異なる大箱体と小箱体からなり、前記大箱体の側壁の短辺側寸法と前記小箱体の側壁の長辺側寸法とが同じであり、前記大箱体を下にして前記小箱体をその向きを９０度ずらせて上に重ね合わせるとき、
前記小箱体の角用台座を下段の前記大箱体の長辺側の側壁の内側に係合させることを特徴とする請求項７に記載の組み立てトレイ。
【発明の詳細な説明】
【技術分野】
【０００１】
本発明は、板紙を折曲げて構成される箱体と支柱とを備える組み立てトレイに関する。
【背景技術】
【０００２】
従来、板紙を用いた梱包装置として、実開平４−４１８２０号公報にコの字状に折曲げた板紙の両隅部に上下方向に貫通する貫通部を設け、前記貫通部に支柱を挿入して側面柱を構成し、天板と底板とで前記側面柱を挟み込んだ梱包装置が開示されている。
【０００３】
また、多段に重ねることができかつ箱の中に商品を入れたまま陳列できる包装箱として、特開２００３−３４１６６０号公報に、段ボール箱の長辺側の面の一部を除去して開口部を設けるとともに、短辺側の面の内壁を上下方向に添った線で折曲げて、段ボール箱の内壁に柱を形成し、強度を向上させた包装箱が開示されている。
【先行技術文献】
【特許文献】
【０００４】
【特許文献１】実開平４−４１８２０号公報
【特許文献２】特開２００３−３４１６６０号公報
【発明の概要】
【発明が解決しようとする課題】
【０００５】
しかし、特許文献１に開示されている梱包装置では、側面柱として支柱のみでは必要な強度を確保することができず、コの字状に折曲げた板紙が必須の構成要素となっていた。このため、左右方向の側面が覆われてしまい、梱包装置としては問題ないものの、物品を収納等するような組み立てトレイにおいては、物品の出し入れにコの字状に折曲げた板紙が邪魔となってしまうおそれがあった。
【０００６】
また、同様に特許文献２に開示されている包装箱でも、側壁が開口されているのは一部のみであり、積み重ねた状態での物品の出し入れには難があった。
【０００７】
本発明は上記の点に鑑みなされたもので、板紙で構成しながら支柱の強度を向上させ、支柱のみで箱体を支えることができ、４方向から物品の出し入れをすることができる組み立てトレイを提供することを目的とする。
【課題を解決するための手段】
【０００８】
１）本発明の組み立てトレイは、
平面視長方形の底部及び前記底部の縁から立設された側壁を備える複数の箱体と、前記箱体の四隅に嵌装される支柱とを備える組み立てトレイにおいて、
前記箱体と前記支柱とが板紙を折曲げて構成され、
前記支柱は、板紙の面を前記支柱の軸に沿って積層して構成されていることを特徴とする。
【０００９】
本発明の組み立てトレイによれば、支柱が、その面を支柱の軸に沿わせた板紙を積層して構成されているため、支柱の内部が略詰まった状態となり、強度と耐久性に優れたものとすることができる。
【００１０】
２）本発明の組み立てトレイの好ましい例は、
前記支柱が、前記支柱の軸に沿って断面渦巻き状に積層された板紙で構成されていることを特徴とする。
【００１１】
本発明の組み立てトレイの好ましい例によれば、支柱が、板紙を断面渦巻き状に積層して構成されているため、支柱の曲げに対する強度を高めることができる。なお、渦巻き状の断面としては、板紙を巻いた略円形のものは勿論のこと、板紙を折曲げて三角柱や四角柱等の多角形としたものも含まれる。
【００１２】
３）本発明の組み立てトレイは、
前記支柱が、板紙の端部から前記支柱の軸に沿って複数回折曲げて断面三角形の渦巻き状に積層された２つの三角柱を組み合わせて四角柱にした板紙で構成されていることを特徴とする。
【００１３】
本発明の組み立てトレイによれば、支柱を断面三角形の渦巻き状とした２つの三角柱の組み合わせとしているため、支柱が変形に強い三角柱２つで構成され、より強度と耐久性に優れたものとすることができる。
【００１４】
４）本発明の組み立てトレイの好ましい例は、
前記支柱の下端部に、前記箱体の四隅の前記側壁が嵌装される断面Ｌ字形の溝部と、
前記支柱の上端部に、前記箱体の底部の角に対応する断面Ｌ字形の壁部と、
を備えることを特徴とする。
【００１５】
本発明の組み立てトレイの好ましい例によれば、支柱の下端部に、箱体の四隅の側壁が嵌装される断面Ｌ字形の溝部が設けられるため、支柱を容易に側壁に着脱させることができ、支柱を側壁に嵌装させたときにぐらつくことがない。また、支柱の上端部に、箱体の底部の角に対応する断面Ｌ字形の壁部を備えるため、支柱の上にさらに箱体を載置させることができ、箱体を２段、３段、４段と任意の数組み付けることができる。また、箱体は支柱の上に略載置されているだけなので、箱体の着脱を速やかに行なうことができる。
【００１６】
５）本発明の組み立てトレイの好ましい例は、
前記支柱の下端部のうち前記溝部より外側の面に、下端に向かって前記外側の面の間の辺を残すよう漸次縮小された凸部を備え、
前記支柱の上端部の壁部に、前記凸部に対応する凹部を備えることを特徴とする。
【００１７】
本発明の組み立てトレイの好ましい例によれば、支柱の下端部に凸部を、支柱の上端部に前記凸部に対応する凹部を備えるため、箱体を３段以上組み立てて、支柱も複数段継ぎ足すような場合に、下段の支柱の上端部の凹部と、上段の支柱の下端部の凸部が噛み合い、箱体に横方向の力が加わったときに箱体がずれにくくなり、箱体が落下するのを防止することができる。また、下端に向かって、支柱のうち箱体に対して外側となる２つの面の間の辺を残すよう漸次縮小された凸部を備えるため、支柱に横方向の力が加わったときに最も負荷のかかる、支柱の２つの外側の面の間の辺の強度が落ちることが少なく、強度に優れた支柱とすることができる。
【００１８】
６）本発明の組み立てトレイの好ましい例は、
前記側壁が前記箱体の内側に傾斜されていることを特徴とする。
【００１９】
本発明の組み立てトレイの好ましい例によれば、側壁が箱体の内側に傾斜されているため、支柱を側壁に嵌装させたときに支柱が内側に傾く。これにより、上段の箱体を支柱の上に載置させたときに、箱体を周囲から締め付けるような力が働き、箱体が支柱より外れにくくなり落下することを防止できる。また、箱体単体を手で持つときに、側壁を掴むような持ち方をしても側壁が外側に開きにくくなり、耐久性に優れたものとすることができる。
【００２０】
７）本発明の組み立てトレイの好ましい例は、
前記箱体の底面に、前記側壁の四辺の内側寸法に対応しつつ、前記底面の長辺側での離間距離が前記側壁の短辺方向の外側寸法に対応した４つの突出した角用台座を備え、
前記支柱を用いずに複数の前記箱体をその向きを揃えて重ね合わせるときは、前記角用台座を下段の前記箱体の四辺の側壁の内側に係合させ、
前記支柱を用いずに複数の前記箱体をその向きを９０度ずらせて重ね合わせるときは、前記角用台座を下段の前記箱体の長辺側の側壁の外側に係合させることを特徴とする。
【００２１】
本発明の組み立てトレイの好ましい例によれば、箱体の底面に、側壁の四辺の内側寸法に対応した４つの突出した角用台座を備えるため、支柱を用いずに複数の箱体を重ねたときに、下段の箱体の側壁の内側に上段の箱体の角用台座が嵌まり、箱体同士がずれることがなくなる。また、角用台座は、底面の長辺側での離間距離が、箱体の側壁の短辺側の外側寸法に対応しているため、複数の箱体を９０度ずつずらして重ねたときに、角用台座を下段の箱体の長辺側の側壁の外側に係合させることができる。これにより、箱体の中身の一部が視認できる状態としながら、複数の箱体同士を重ねることができる。
【００２２】
８）本発明の組み立てトレイの好ましい例は、
前記底面の長辺側の中央に、前記角用台座との距離が前記側壁の短辺方向の内側寸法に対応して突出した中用台座を備え、
前記支柱を用いずに複数の前記箱体をその向きを９０度ずらせて重ね合わせるときは、前記角用台座の一部と前記中用台座とを下段の前記箱体の長辺側の側壁の内側に係合させることを特徴とする。
【００２３】
本発明の組み立てトレイの好ましい例によれば、上記の角用台座に加えて、底面の長辺側の中央に角用台座との距離が側壁の短辺側の内側寸法に対応して突出した２つの中用台座を備えるため、複数の箱体を９０度ずつずらして重ねたときに、角用台座の一部と中用台座とを下段の箱体の長辺側の側壁の内側に接して嵌めることができる。これにより、箱体の中身の一部が視認できる状態としながら、複数の箱体同士を重ねるときのバリエーションを増やすことができる。
【００２４】
９）本発明の組み立てトレイの好ましい例は、
複数の前記箱体が、大きさの異なる大箱体と小箱体からなり、前記大箱体の側壁の短辺側寸法と前記小箱体の側壁の長辺側寸法とが同じであり、前記大箱体を下にして前記小箱体をその向きを９０度ずらせて上に重ね合わせるとき、
前記小箱体の角用台座を下段の前記大箱体の長辺側の側壁の内側に係合させることを特徴とする。
【００２５】
本発明の組み立てトレイの好ましい例によれば、大箱体の側壁の短辺側寸法と、小箱体の側壁の長辺側寸法とが同じであるため、小箱体をその向きを９０度ずらせて上に重ね合わせるとき、小箱体の角用台座を下段の大箱体の長辺側の側壁の内側に係合させることができる。これにより、下の大箱体の中身をより良く確認できる状態としながら、複数の箱体同士を重ねることができる。
【発明の効果】
【００２６】
以上、説明したように、本発明の組み立てトレイによれば、板紙で構成しながら支柱の強度を向上させ、支柱のみで箱体を支えることができ、４方向から物品の出し入れをすることができる。
【図面の簡単な説明】
【００２７】
【図１】本発明の一実施形態に係る組み立てトレイを説明する図である。
【図２】支柱の側面図とその端面図及び断面図である。
【図３】支柱の斜視図である。
【図４】支柱を構成する板紙を説明する図である。
【図５】支柱を構成する三角柱のバリエーションを説明する図である。
【図６】支柱を構成する板紙の積層方法のバリエーションを説明する図である。
【図７】箱体を説明する図である。
【図８】角用台座及び中用台座を説明する図である。
【図９】箱体の重ね合わせを説明する図である。
【図１０】箱体の重ね合わせの他の例を説明する図である。
【図１１】箱体を構成する板紙を説明する図である。
【発明を実施するための形態】
【００２８】
以下、本発明の組み立てトレイの実施の形態について、添付図面を参照しながら詳細に説明する。図１は本発明の一実施形態に係る組み立てトレイを説明する図である。
【００２９】
図１に示すように、本実施形態の組み立てトレイ１は、複数の箱体１０と、複数の支柱２０とを備える。これらの箱体１０は板紙を折曲げて構成されるとともに、支柱２０は板紙を折曲げて積層又は所定の形状に切断した板紙の面を接合することで積層させて構成される。
【００３０】
箱体１０は、平面視長方形の底部１１及び底部１１の縁から立設された側壁１２，１３、並びに後述する中敷き１４（図７（Ａ）参照。）を備える。
【００３１】
支柱２０は、箱体１０の四隅に嵌装される。そして、その支柱２０の上に別の箱体１０が載置され、さらに別の支柱２０が嵌装され、図示しない別の箱体１０が載置されるというように、任意の段数に箱体１０と支柱２０とを組み立て可能となっている。これらの箱体１０と支柱２０とに用いられる板紙としては、いわゆるボール紙、段ボール紙等の厚手の紙が用いられ、本実施形態では段ボール紙を採用している。
【００３２】
次に、図１及び図２〜図６を参照して、支柱２０の詳細を説明する。図２（Ａ）〜（Ｄ）は、支柱２０を各方向からみた側面図であり、図２（Ａ）及び（Ｃ）の下方には同図のＡ−Ａ線端面図を、図２（Ｂ）の下方には同図のＡ−Ａ線断面図を示している。図３（Ａ）〜（Ｄ）は、支柱２０を各方向からみた斜視図である。図４は、支柱２０を構成する板紙２を説明する図、図５（Ａ）〜（Ｃ）は、支柱２０を構成する三角柱の断面のバリエーションを説明する図、図６（Ａ）〜（Ｄ）は支柱を構成する板紙の積層方法のバリエーションを説明する図である。なお、図面を見やすくするために、図２、図３、図５、及び図６において、切り口面及び断面等の、段ボール紙を構成する波状の芯紙の記載を一部省略している。
【００３３】
支柱２０は、図４に示す１枚の板紙２の両端部から、支柱２０の軸に沿った破線で複数回折曲げて、接着剤等で重ね合わせた面を接合する等して、図５（Ａ）に示す断面三角形の渦巻き状とした２つの三角柱３０の底辺の面同士を接合した、四角柱として構成される。なお、図４の図中の符号２１〜２４は、板紙２を折曲げて支柱２０としたときに、後述する溝部２１、壁部２２、凸部２３、凹部２４になる部分である。
【００３４】
また、支柱２０は、１枚の板紙２の中央線を、支柱２０の軸に沿った面のうち箱体１０に対して外側にある２つの面３１（以下「第１の面３１」という。）に挟まれる辺３３としており、この辺３３は１枚の板紙の中央部分で連続される構成となっている。一方、支柱２０の軸に沿った面のうち箱体１０に対して内側にある２つの面３２（以下「第２の面３２」という。）は、三角柱３０の斜辺のうちそれぞれの三角柱３０で独立している側の辺である。このため、第２の面３２に挟まれる辺３４は、２つの三角柱３０を接合した接合面の端部となる。
【００３５】
また、図２及び図３に示すように、支柱２０は、溝部２１と、壁部２２とを備える。溝部２１は、支柱２０の下端部に設けられ、箱体１０の四隅の側壁１２，１３が嵌装されるものである。この溝部２１は、支柱２０の下端部のうち、第２の面３２から三角柱３０の底辺に向かって、支柱２０の内部に延びており、図２（Ａ）及び図２（Ｃ）の端面図からも明らかなように断面Ｌ字形をなしている。この溝部２１に、箱体１０の側壁１２，１３の四隅が嵌装されることで、支柱２０が立設するのである。
【００３６】
壁部２２は、支柱２０の上端部に設けられ、箱体１０の底部１１の外側の角が当接されるものである。この壁部２２は、支柱２０の上端部のうち、第２の面３２の一部を残して第１の面３１のみを上部に突出させて構成されている。この壁部２２によって、第２の面３２から三角柱３０の底辺に向かって、すなわち支柱２０の内部に向かっての空間ができ、この空間に箱体１０の底の角が嵌まり、支柱２０に箱体１０が載置されるとともに壁部２２の内側に箱体１０が当接される。
【００３７】
また、支柱２０の下端部のうち溝部２１より外側の面、すなわち第１の面３１が、支柱２０の下端に向かって第１の面３１に挟まれた辺３３を残すよう漸次縮小され、凸部２３をなす。さらに、支柱２０の上端部にある壁部２２には、前記凸部２３に対応する凹部２４を備える。この凹部２４は、第１の面３１が、第１の面３１に挟まれる辺３３に向かって斜めに切り欠きがなされることで構成され、壁部２２の第１の面３１は側面視で鋸歯状の三角形となる。この、凸部２３と凹部２４があることにより、支柱２０を２段以上用いて箱体１０を３段以上重ねたときに、上段の支柱２０の凸部２３と下段の支柱２０の凹部２４とが噛み合い、組み立てトレイ１が崩れにくくなる。
【００３８】
次に、支柱２０を構成する２つの三角柱のバリエーションについて説明する。本実施形態では、図５（Ａ）に示すように、支柱２０は１枚の板紙２の両端部から支柱２０の軸に沿って折曲げて構成され、第１の面３１に挟まれる辺３３は１枚の板紙で連続されるようになっている。もっとも、これに限定されるものではなく、例えば、図５（Ｂ）（Ｃ）のような態様としてもよい。図５（Ｂ）は、１枚の板紙の両端部から支柱２０の軸に沿って折曲げてはいるが、断面において略Ｚ字の両端部を渦巻き状にするようにして２つの三角柱１３０を形成している。また、図５（Ｃ）は、独立した２つの三角柱２３０の底辺の面同士を接合して構成されている。
【００３９】
また、支柱は、上記の２つの三角柱を組み合わせたものに限られず、板紙の面を支柱の軸に沿って渦巻き状に積層した構成であればよい。例えば、図６（Ａ）にその断面を示すように、１枚の板紙を支柱の軸と同軸に巻いて、断面略円形の渦巻き状とした支柱１２０とすることができる。また、図６（Ｂ）（Ｃ）にその断面を示すように、渦巻き状とするにあたり上記の断面略円形以外にも、その断面を四角形、三角形、その他の多角形とした支柱１２１，１２２とすることができる。
【００４０】
さらに、支柱は、板紙の面を支柱の軸に沿って積層して構成してもよい。例えば、図６（Ｄ）にその断面を示すように、支柱の軸方向に長い長方形の板紙を複数枚用意し、それらを積層させて支柱１２３を構成することができる。また、図６（Ｅ）にその断面を示すように、１枚の板紙を支柱の軸に沿って山折りと谷折りを交互に繰り返して、蛇腹状にしたものを積層させて支柱１２４を構成することができる。
【００４１】
次に、図１及び図７〜図１１を参照して、箱体１０の詳細を説明する。図７（Ａ）は箱体１０の斜視図、図７（Ｂ）（Ｃ）は箱体１０を各方向からみた側面図である。図８（Ａ）は角用台座４０及び中用台座４１を説明する図、図８（Ｂ）は角用台座４０及び中用台座４１の箱体１０への取付を説明する箱体１０の底面図である。図９（Ａ）〜（Ｃ）は箱体１０の重ね合わせを説明する図、図１０は箱体５０，５１の重ね合わせの他の例を説明する図、図１１は箱体１０を構成する板紙３を説明する図である。
【００４２】
箱体１０は、図７（Ａ）に示すように底部１１と、側壁１２，１３と、その底部１１に敷かれる中敷き１４とを備える。そして、底部１１と側壁１２，１３は、図１１に示す１枚の板紙３を折曲げて形成される。板紙３は、その中央に底部１１を構成する長方形の部分があり、その長辺側には側壁１２を構成する側壁用板１０４，１０７、及び補強用板１０１，１０２，１０３，１０５，１０６が設けられる。これらの補強板のうち、一部の補強板１０１，１０５，１０６は、長辺側の側壁１２の長さよりも左右に飛び出して裁断されており、折畳んで側壁１２，１３の中に折込まれ、側壁１２，１３を補強する作用を有する。また、中央の長方形の短辺側にも、側壁１３を構成する側壁用板１０８，１０９、及び折り返し１１０が設けられる。また、中央の底部１１を構成する長方形の角には、箱体１０の四隅を構成する角用板１１１が設けられる。
【００４３】
この板紙の折曲げ方であるが、図中の破線を谷折りに、実線を山折りにして折曲げて形成される。詳しくは、以下の手順で組み立てられる。先ず、符号ａで示す破線を谷折りにして、補強用板１０１と補強用板１０２とを重ね合わせる。次に、符号ｂで示す破線を谷折りにして、補強用板１０３と側壁用板１０４とを重ね合わせるとともに、補強用板１０５と補強用板１０６とを重ね合わせる。次に、符号ｃで示す実線を山折りにして、補強用板１０２と補強用板１０３の裏面同士を重ね合わせる。次に、符号ｄで示す破線を９０度ずつ谷折りにして、これまで重ね合わせた補強用板１０１，１０２，１０３を、側壁用板１０４と側壁用板１０７で挟み込む。これにより、箱体１０の長辺側の側壁１２は、補強用板１０１，１０２，１０３及び側壁用板１０４，１０７の５枚の板紙を重ね合わせて構成されることとなる。
【００４４】
次に、短辺側に移り、符号ｅで示す破線を９０度ずつ谷折りにして側壁用板１０８と側壁用板１０９とを重ね合わせる。次に、符号ｆで示す線を９０度山折りにして、箱体１０の底の折り返し１１０を形成する。次に、符号ｇで示す線を９０度山折りにして、上記で重ね合わせた補強用板１０５と補強用板１０６とを立設させる。次に、既に折曲げた符号ｅ及びｆで示す線を一旦開く。次に、符号ｈで示す線を谷折りにしながら、符号ｉで示す線も同時に折曲げていき角用板１１１で側壁１２，１３の四隅を形成する。さらに、上記で立設させた補強用板１０５と補強用板１０６、及び前記角用板１１１を側壁用板１０８と側壁用板１０９とで挟み込む。これにより、側壁１２，１３の四隅は、補強用板１０５，１０６、及び前記角用板１１１で補強される。また、箱体１０の短辺側の側壁１３は、補強用板１０５，１０６及び側壁用板１０８，１０９の４枚の板紙を重ね合わせて構成されることになる。そして、折り返し１１０の上から中敷き１４を嵌めれば完成する。
【００４５】
また、箱体１０は、上記の符号ｇ及びｉで示す線が斜めに構成されているため、図７（Ｂ）（Ｃ）に示すように、組み立てたときに側壁１２，１３が箱体１０の内側に向かって傾斜され、側面視で台形をなしている。この傾斜の度合であるが、本実施形態に採用されている側壁１２，１３の高さＨが３０〜６０ｍｍの場合、側壁１２，１３の下側の幅ＢＷに対して上側の幅ＴＷを２〜１０ｍｍ、中でも５〜７ｍｍ程狭くすることが好適である。この側壁１２，１３が内側に向かって傾斜されるため、側壁１２，１３の四隅に嵌装された支柱２０が内側に傾斜され、その上に載置される箱体１０の底の角を挟み込む。これにより、箱体１０を多段に重ねたときに箱体１０のぐらつきを抑制することができる。また、箱体１０を運搬等する際に、側壁１２，１３を人手で掴んで持ち上げても、側壁１２，１３が外側に曲がりにくくなる。なお、図７（Ｂ）（Ｃ）では後述する角用台座４０及び中用台座４１の記載を省略している。
【００４６】
また、図８（Ａ）（Ｂ）に示すように、箱体１０は、その底面（裏面）の四隅に４つの角用台座４０と、角用台座４０に挟まれる位置に２つの中用台座４１が設けられる。この角用台座４０及び中用台座４１は、図８（Ａ）に示すように、板紙を所定の形状に切断し折曲げて構成されるもので、平面視凸字状をなし、切り欠き４２と、底辺４３と、上辺４４と、側辺４５とを備える。そして、角用台座４０は、図８（Ｂ）に示すように、凸字状の上側角部の切り欠き４２を箱体１０の角に向けて、箱体１０の底面の四隅近傍に貼設される。また、中用台座４１は、凸字状の底辺４３を箱体１０の外側に向けて、箱体１０の長辺側の略中央にそれぞれ貼設される。なお、角用台座４０の切り欠き４２は、支柱２０を用いて組み立てトレイ１を組み立てたときの、支柱２０と角用台座４０とが干渉することを防止するための逃げとして設けられている。このように、角用台座４０及び中用台座４１を平面視凸字状として向きを変えて貼設することで、角用台座４０及び中用台座４１を同じ部品で共用することができる。
【００４７】
次に、角用台座４０及び中用台座４１の取付位置と各台座間の寸法について説明する。角用台座４０は、箱体１０の底面の四隅近傍に貼設されることは既に述べたが、これら４つの角用台座４０の外側の辺となる上辺４４同士及び側辺４５同士の距離ｄ１、ｄ２は、側壁１２，１３の上端部における四辺の内側寸法Ｄ１，Ｄ２（図９（Ａ）参照。）に対応し、両者が略同じ距離となっている。このため、図９（Ａ）に示すように、支柱２０を用いずに複数の箱体１０をその向きを揃えて重ね合わせるときは、上段の箱体１０の角用台座４０を下段の箱体１０の四辺の側壁１２，１３の内側に係合させることができ、重ね合わせた箱体１０がずれることがない。
【００４８】
また、箱体１０の底面の長辺側において、角用台座４０の底辺４３同士の離間距離ｄ３は、側壁１２，１３の短辺方向の外側寸法Ｄ３に対応し、両者が略同じ距離となっている。このため、図９（Ｂ）に示すように、支柱２０を用いずに複数の箱体１０をその向きを９０度ずらせて重ね合わせるときは、上段の箱体１０の角用台座４０の底辺４３の間に、下段の箱体１０の長辺側の側壁１２の外側を係合させることができる。
【００４９】
また、中用台座４１は、箱体１０の底面の長辺側の中央において、その側辺４５から一方の角用台座の上辺４４との距離ｄ４が、箱体１０の側壁１２，１３の短辺方向の内側寸法Ｄ２に対応し、両者が略同じ距離となっている。このため、図９（Ｃ）に示すように、支柱２０を用いずに複数の箱体１０をその向きを９０度ずらせて重ね合わせるときは、上段の箱体１０の角用台座４０の上辺４４と中用台座４１の側辺４５を、下段の箱体１０の長辺側の側壁１２の内側に係合させることができる。このように、複数の箱体１０をその向きを９０度ずらせて重ね合わせることで、下段の箱体１０はその上方の一部が開放され、下段の箱体１０の中身を上から視認することができるとともに、その中身を取り出すこともできる。さらに、上段の箱体１０を下段の箱体１０の長辺方向（矢印方向）に移動させることができる。また、上段の箱体１０は下段の箱体１０の短辺方向にはずれることがなく、重ね合わせた箱体１０が崩れることがない。
【００５０】
次に、図１０を参照して、異なる大きさの箱体５０，５１による組み立てトレイ５を説明する。図１０に示す組み立てトレイ５は、大きさの異なる大箱体５０と小箱体５１、及び支柱２０を備える。この大箱体５０と小箱体５１の大きさであるが、大箱体５０の側壁の短辺側寸法Ｄ１０と小箱体の側壁の長辺側寸法Ｄ１１とが略同じに構成されている。このため、大箱体５０を下にして、小箱体５１をその向きを９０度ずらせて上に重ね合わせるとき、小箱体５１の角用台座を下段の大箱体の長辺側の側壁の内側に係合させることができる。また、小箱体５１の短辺側寸法Ｄ１３に対し、大箱体５０の長辺側寸法Ｄ１２が十分に大きいため、重ね合わせた小箱体５１を大箱体５０の上でスライドさせることができる。さらに、大箱体５０の上に小箱体５１を２つ並べて重ね合わせながら、支柱２０を大箱体５０の側壁の四隅に嵌挿させ、大箱体５０を複数段設けることもでき、収納量の増加を図ることもできる。なお、大箱体５０にも角用台座及び中用台座を設けて、上述の組み立てトレイ１のように使用することができるのは勿論である。
【００５１】
以上説明したように、本実施形態の組み立てトレイによれば、支柱が板紙を積層又は渦巻き状に積層させた構成となっており強度に優れ、特に、支柱を２つの渦巻き状にした三角柱で構成したものはより強度に優れる。このため、材料に板紙を用いているにもかかわらず、支柱のみで各段の箱体を支えることができ、側面の四方が開放されることで物品の出し入れがしやすくなる。また、材料に板紙を用いているため、廃棄時に再資源化が容易となる。
【００５２】
また、支柱の上端部に凹部を、下端部に凸部を設け、これらが互いに対応する形状となっているため、箱体を３段以上重ねて支柱も複数本重ねるときに支柱がずれにくく、重ねた箱体が崩れることがない。また、下端部の凸部は、支柱の第１の面に挟まれた辺を残すように構成されている。このため、箱体及び支柱に横方向の力が加えられたときに、もっとも負荷のかかる第１の面に挟まれた辺の強度を保つことができる。また、この第１の面に挟まれた辺は、１枚の板紙で連続させることもでき、これによっても当該場所の強度を保つことができるとともに、美観に優れる。また、上段の箱体は、支柱の上端部に載置されるため、組み立てトレイの組み立て及び分解を速やかに行なうことができる。
【００５３】
また、箱体はその側壁が内側に向かって傾斜されているため、側壁の嵌装された支柱が内側に傾斜され、その上に載置される箱体を挟むようになる。これにより、載置される箱体の安定性が増し、箱体が崩れにくくなる。同じく、側壁が内側に向かって傾斜されているため、箱体のみを運搬等する際に、側壁を人手で掴んで持ち上げても、側壁が外側に撓むことが少なく、耐久性に優れたものとすることができる。また、箱体の側壁は４枚ないし５枚の板紙を重ね合わせて構成されており、さらに側壁の四隅には角用板も重ね合わされており、強度及び耐久性に優れたものとすることができる。
【００５４】
また、箱体の底面に４つの角用台座及び２つの中用台座を備え、これらの配置によって、角用台座又は中用台座が下段の箱体の側壁に係合されるため、支柱を用いずに箱体のみを複数段重ねて使用することができる。特に、下段の箱体と上段の箱体とを、その向きを９０度ずらせて重ねることもでき、係る場合、上段の箱体を下段の箱体の上でスライドささることができる。これにより、下段の箱体の中身を出し入れ又は確認しながら箱体を複数段重ねて使用することができる。さらに、角用台座及び中用台座を、上面視凸字状とすることで共通の部品として、その取付け向きを変更することで対応しているため、部品点数を削減することができる。
【００５５】
さらに、大箱体と小箱体とを備える構成では、大箱体の上に小箱体を重ね合わせて使用することができ、収納の方法のバリエーションを増やすことができる。
【００５６】
なお、上述した組み立てトレイは本発明の例示であり、発明の趣旨を逸脱しない範囲において、その構成を適宜変更することができる。
【符号の説明】
【００５７】
１，５・・組み立てトレイ、２，３・・板紙、
１０，５０，５１・・箱体、１１・・底部、１２・・側壁（長辺）、１３・・側壁（短辺）、１４・・中敷き、１１０・・折り返し
２０・・支柱、２１・・溝部、２２・・壁部、２３・・凸部、２４・・凹部、
３０，１３０，２３０・・三角柱、３１・・第１の面、３２・・第２の面、３３，３４・・辺、
４０・・角用台座、４１・・中用台座、４２・・切り欠き、４３・・底辺、４４・・上辺、４５・・側辺、
【図１】
2018111517.tif 000003
【図２】
2018111517.tif 000004
【図３】
2018111517.tif 000005
【図４】
2018111517.tif 000006
【図５】
2018111517.tif 000007
【図６】
2018111517.tif 000008
【図７】
2018111517.tif 000009
【図８】
2018111517.tif 000010
【図９】
2018111517.tif 000011
【図１０】
2018111517.tif 000012
【図１１】
2018111517.tif 000013